(57)【要約】【課題】衣服等の掛け物をハンガー体に掛止する際、その作業状況に応じてハンガー体の姿勢を変更する。【解決手段】複数のハンガー体を、物干し枠体の長辺方向に所定間隔で、物干し枠体の短辺方向の軸芯周りで揺動自在に支持してある物干し器において、ハンガー体を物干し枠体に対し垂下させた姿勢から揺動させた所定の位置でのハンガー体の姿勢を保持する姿勢保持手段を設ける。【選択図】        図３
2004267686.tif 000002
【特許請求の範囲】
【請求項１】
複数のハンガー体を、物干し枠体の長辺方向に所定間隔で、物干し枠体の短辺方向の軸芯周りで揺動自在に支持してある物干し器であって、
前記ハンガー体を物干し枠体に対し垂下させた姿勢から揺動させた所定の位置でのハンガー体の姿勢を保持する姿勢保持手段が設けられている物干し器。
【請求項２】
前記物干し枠体が、その長辺方向の中央部においてハンガー体支持側に折り畳み可能であるとともに、前記所定の位置で姿勢保持された前記ハンガー体の揺動姿勢が、前記物干し枠体を折畳んだ際の前記ハンガー体におけるハンガー体格納姿勢となる構成にしてある請求項１記載の物干し器。
【請求項３】
前記姿勢保持手段が、ハンガー体を物干し枠体に対する垂下姿勢でも姿勢保持する構成にしてある請求項１又は２記載の物干し器。
【請求項４】
前記ハンガー体に形成された嵌合凸部が、物干し枠体に形成された嵌合凹部に対し物干し枠体の短辺方向の軸芯周りで揺動自在に嵌合支持されているとともに、
前記姿勢保持手段が、一定以上の操作力によるハンガー体の揺動を許容する状態で、ハンガー体を物干し枠体に対する垂下姿勢及び揺動姿勢に係止保持するように構成されている請求項１〜３のいずれか１項に記載の物干し器。
【請求項５】
前記姿勢保持手段は、嵌合凸部と嵌合凹部とに形成されていて、嵌合凸部には、それの外周面の周方向の一部に突出する突起部と、これの半径方向内方への弾性変形を許容する中空部とが形成されているとともに、
嵌合凹部の内周面には、ハンガー体が物干し枠体に対して垂下姿勢及び揺動姿勢にあるとき、突起部を垂下操作位置及び揺動操作位置で係止保持する係合保持面と、物干し枠体に対して垂下姿勢又は揺動姿勢にあるハンガー体を揺動姿勢又は垂下姿勢に変更するとき、突起部を半径方向内方に弾性変形させながら揺動操作位置又は垂下操作位置に摺動案内する抵抗付与面とが連続形成されている請求項１〜４のいずれか１項に記載の物干し器。
【発明の詳細な説明】
【０００１】
【発明の属する技術分野】
本発明は、複数のハンガー体を、物干し枠体の長辺方向に所定間隔で、物干し枠体の短辺方向の軸芯周りで揺動自在に支持してある物干し器に関する。
【０００２】
【従来の技術】
従来のこの種の物干し器では、ハンガー体に形成された軸状の凸部を、物干し枠体に形成された筒状の凹部に物干し枠体の短辺方向の軸芯周りで揺動自在に嵌合させることにより、ハンガー体を物干し枠体に対して、短辺方向軸芯周りで自由揺動自在に垂下支持していた  （例えば、特許文献１参照。）。
【０００３】
【特許文献１】
意匠登録第９６８３９８号公報
【０００４】
【発明が解決しようとする課題】
しかし、従来のこの種の物干し器は、物干し枠体に対して複数のハンガー体が自由揺動自在に垂下支持されているだけなので、ハンガー体の装着数が多くなるほどハンガー体の隣接間隔が狭くなり、しかも、衣服等の掛け物をハンガー体に掛止する際に隣接するハンガー体に触れて揺動しやすいため、作業の邪魔となって効率よく作業するのが困難であった。
【０００５】
本発明は、上述の実状に鑑みて為されたものであって、その主たる課題は、衣服等をハンガー体に掛止する際、例えば、多数のハンガー体が小間隔で並設されている場合でも、隣接するハンガー体に邪魔されることなく、効率よく容易に掛け止めることができる物干し器を提供する点にある。
【０００６】
【課題を解決するための手段】
本発明の請求項１による特徴構成は、複数のハンガー体を、物干し枠体の長辺方向に所定間隔で、物干し枠体の短辺方向の軸芯周りで揺動自在に支持してある物干し器において、前記ハンガー体を物干し枠体に対し垂下させた状態から揺動させた所定の位置でのハンガー体の姿勢を保持する姿勢保持手段が設けられている点にある。
【０００７】
上記特徴構成によれば、衣服等の掛け物を掛け止める場合、その掛止対象のハンガー体に隣接する垂下姿勢のハンガー体を物干し枠体に対して離間側に揺動操作すると、その隣接ハンガー体は姿勢保持手段によって所定位置で揺動姿勢に保持されるので、垂下姿勢にある掛止対象のハンガー体と揺動姿勢にある隣接ハンガー体との間に大きな空間を現出することができる。
従って、掛け物を複数のハンガー体に掛けていく際、例えば、多数のハンガー体が小間隔で並設されている条件下でも、使用する掛止対象のハンガー体の周りに充分な空間を確保することができ、よって、隣接ハンガー体が掛け物を掛止する作業の邪魔になることないので、ハンガー体を自由揺動自在に垂下支持している従来の物干し器に比べて、効率よく掛け物を掛止する作業を行なうことができる。
【０００８】
本発明の請求項２による特徴構成は、前記物干し枠体が、その長辺方向の中央部においてハンガー体支持側に折り畳み可能であるとともに、前記所定の位置で姿勢保持された前記ハンガー体の姿勢が、前記物干し枠体を折畳んだ際の前記ハンガー体におけるハンガー体格納姿勢となる構成にしてある点にある。
【０００９】
上記の特徴構成によれば、ハンガー体が姿勢保持手段によりハンガー体格納姿勢に姿勢保持されるので、ハンガー体が揺動することなく、物干し枠体を折り畳むことで相対向するハンガー体が衝突したり絡まったりせず、容易にかつコンパクトに物干し器を折り畳むことができる。
【００１０】
本発明の請求項３による特徴構成は、前記姿勢保持手段が、ハンガー体を物干し枠体に対する垂下姿勢でも姿勢保持する構成にしてある点にある。
【００１１】
上記の特徴構成によれば、姿勢保持手段がハンガー体の揺動姿勢のみならず、垂下姿勢にあるときもその姿勢を保持するので、物干し枠体に対して垂下姿勢にあるハンガー体の人の接触や風等による揺動を防止でき、よって、隣接しあうハンガー体に掛止された掛け物どうしが絡んだりすることを抑制することができる。
また、使用する掛止対象のハンガー体を垂下姿勢で保持することで、そのハンガー体に掛け物を掛止する際、片手でハンガー体を保持する必要がなく、両手を使うことができて、作業能率がよい。
従って、効率よく掛け物を掛止することができ、かつ、乾燥スピードも向上させることができ、また、ハンガー体からの掛け物の取り外し作業も容易に行うことができる。
【００１２】
本発明の請求項４による特徴構成は、前記ハンガー体に形成された嵌合凸部が、物干し枠体に形成された嵌合凹部に対し物干し枠体の短辺方向の軸芯周りで揺動自在に支持するように嵌合するとともに、
前記姿勢保持手段が、一定以上の操作力によるハンガー体の揺動を許容する状態で、ハンガー体を物干し枠体に対する垂下姿勢及び揺動姿勢に係止保持するように構成されている点にある。
【００１３】
上記の特徴構成によれば、姿勢保持手段が一定以上の操作力よってハンガー体の揺動を許容する、すなわち換言すると、ハンガー体に一定以上の荷重が掛からない限りハンガー体は揺動することがなく、その垂下姿勢及び揺動姿勢を係止保持することができる。
従って、物干し枠体に対して垂下姿勢又は揺動姿勢にあるハンガー体に、人が接触したり、ある程度の風が吹いても、大きな荷重が掛からない限りハンガー体の垂下姿勢又は揺動姿勢を係止保持することができるので、ハンガー体の揺動によって隣接しあうハンガー体に掛止された掛け物どうしが絡んだりすることを抑制することができる。
【００１４】
本発明の請求項５による特徴構成は、前記姿勢保持手段は、嵌合凸部と嵌合凹部とに形成されていて、嵌合凸部には、それの外周面の周方向の一部に突出する突起部と、これの半径方向内方への弾性変形を許容する中空部とが形成されているとともに、
嵌合凹部の内周面には、ハンガー体が物干し枠体に対して垂下姿勢及び揺動姿勢にあるとき、突起部を垂下操作位置及び揺動操作位置で係止保持する係合保持面と、物干し枠体に対して垂下姿勢又は揺動姿勢にあるハンガー体を揺動姿勢又は垂下姿勢に変更するとき、突起部を半径方向内方に弾性変形させながら揺動操作位置又は垂下操作位置に摺動案内する抵抗付与面とが連続形成されている点にある。
【００１５】
上記の特徴構成によれば、姿勢保持手段として、ハンガー体の嵌合凸部の外周面の周方向の一部に形成された突起部が、物干し枠体の嵌合凹部の内周面の係合保持面と係合することでハンガー体の姿勢を係止保持する形態と、ハンガー体を揺動操作するとき、その揺動操作により物干し枠体の嵌合凹部の内周面の抵抗付与面に嵌合凸部の突起部が当接し、ハンガー体の揺動操作に対して抵抗力を付与すると共に、中空部を有する嵌合凸部に対し半径方向内方に圧力が掛かって、嵌合凸部が半径方向内方に弾性変形することでハンガー体の揺動操作を許容する形態になる。
そして、嵌合凹部の係合保持面と抵抗付与面とが連続形成されていることで、ハンガー体の揺動操作においてハンガー体をスムーズに摺動させることができる。
また、姿勢保持手段が、ハンガー体側の嵌合凸部の外周面に形成された嵌合凹部の内周面に当接する突起部と、その嵌合凸部の半径方向内方への弾性変形を許容する中空部と、物干し枠体側の嵌合凹部の内周面に連続形成された係合保持面及び抵抗付与面とから構成されるといった他部材を使用しない簡単な構造を採用することで製造コスト面において有利でありながら、かつ、ハンガー体の物干し枠体に対する垂下姿勢及び揺動姿勢を確実に係止保持することができる。
【００１６】
【発明の実施の形態】
〔第１実施形態〕
図１〜８は、衣服等の掛け物を脱着自在に掛止するための１０本のハンガー１を支持してある矩形形状の物干し枠体２と、物干し竿や鴨居等に掛止可能な吊下げフック３と、物干し枠体２と吊下げフック３とに亘って設けられた吊下げ連結体４とからなる第１実施形態の合成樹脂製の物干し器を示し、ハンガー１は物干し枠体２に対して揺動自在に支持されていて、ハンガー１と物干し枠体２とに、ハンガー１の物干し枠体２に対する垂下姿勢と揺動姿勢とを保持する姿勢保持手段Ｓが設けられている。
【００１７】
１０本のハンガー１は、物干し枠体２に対し、物干し枠体２の長辺方向に所定間隔で、かつ、短辺方向の軸芯周りで揺動自在に支持されているとともに、各ハンガー１は、図２に示すように、左右方向の外方側ほど下方に位置する傾斜姿勢となる２つの肩杆部１０Ａ，１０Ｂと、それらの下端にほぼ水平姿勢で連続して底辺となる下杆部１１とをほぼ三角形に一体成形した杆状に形成されていて、掛け物の形状及び形態に合せて掛止することができるように、キャミソールやオーバーオール等の肩紐を掛止する肩紐フック１２と、スカートのウエストストラップ等を掛止するスカートフック１３と、タオルやズボン等を挟持する挟持杆１４と、ネクタイ等を掛止するネクタイハンガー部１５とが一体形成されている。
【００１８】
肩紐フック１２は、各肩杆部１０Ａ，１０Ｂの中央位置よりもやや外寄りに偏位した位置の内側にコの字状に開口した形状に形成されていて、その開口端縁には、各肩杆部１０Ａ，１０Ｂに向かって突出する抜止め突起部１２ａが一体形成されている。
【００１９】
スカートフック１３は、ハンガー１の両肩杆部１０Ａ，１０Ｂと下杆部１１との接点箇所のそれぞれに、上側外方に向かう開口１３ａを備えたＣの字状に形成されている。
【００２０】
さらに、スカートフック１３からハンガー１の内方に向かって突出する状態で、先端がやや上方に曲折している挟持杆１４が設けられていて、その挟持杆１４は先端ほど下杆部１１に接近し、その曲折した部分の頂点が下杆部１１にほぼ接触した姿勢に形成されている。
【００２１】
そして、２つの肩杆部１０Ａ，１０Ｂのうち一方の肩杆部１０Ａの上方に、他方の肩杆部１０Ｂの側に彎曲して入込む形態で、ネクタイハンガー部１５が形成されている。
【００２２】
また、下杆部１１には下杆部１１に掛止した掛け物がハンガー１から脱落するのを防止する筋状の滑り止め突起１１ａが３本形成されている。
【００２３】
図５に示すように、各肩杆部１０Ａ，１０Ｂの上端には、物干し枠体２に対して枢支嵌合する軸状の嵌合凸部１６が設けられ、嵌合凸部１６には、ハンガー１の物干し枠体２に対する抜け出しを防止する係合部１６ａと、物干し枠体２に対し揺動姿勢及び垂下姿勢にあるハンガー１の姿勢を保持する姿勢保持手段Ｓである突起部１６ｂと、突起部１６ｂの径方向内方への弾性変形を許容する中空部１６ｃと、係合部１６ａの径方向内方への弾性変形を許容する中空切込み部１６ｄとが形成されてある。
【００２４】
係合部１６ａは嵌合凸部１６の先端に形成されてあり、姿勢保持手段Ｓである突起部１６ｂは、図６に示すように、側面視において、嵌合凸部１６の外周面の点対称の位置（詳しくは、嵌合凸部１６の外周面で、物干し枠体２に対してハンガー１を垂下姿勢させたときに、物干し枠体２に対して直交する方向の２箇所）に設けられている。
【００２５】
物干し枠体２は、その長辺方向の中央位置で二分割された左右一対の分割枠体２Ａ，２Ｂから構成され、各分割枠体２Ａ，２Ｂは、平面視ほぼコの字状で、かつ、横断面形状が下向きコの字状の外枠部２ａと、横断面形状が下向きコの字状の横枠部２ｂとを合成樹脂にて一体成形して構成され、横枠部２ｂにはハンガー１の嵌合凸部１６と嵌合する筒状の嵌合凹部１７が設けられている。
【００２６】
そして、物干し枠体２は、両分割枠体２Ａ，２Ｂの中央側端部どうしを、物干し枠体２の短辺方向に沿う水平な折畳み軸芯Ｘ周りで揺動自在に嵌合連結することにより、両分割枠体２Ａ，２Ｂが面一状態で水平方向に沿って一直線状に展開した吊下げ状態と、両分割枠体２Ａ，２Ｂの下面（すなわち、ハンガー体支持側）どうしが近接する状態にまで折畳み軸芯Ｘ周りで折り畳んだハンガー体格納姿勢とに切替操作自在に構成されている。
【００２７】
図５及び図６に示すように、嵌合凹部１７は、嵌合凸部１６に形成されてある係合部１６ａと係合する被係合部１７ａと、ハンガー１の姿勢を保持する姿勢保持手段Ｓである嵌合凹部内周面１７ｂとから構成され、側面視における嵌合凹部内周面１７ｂの形状は、嵌合凹部１７の軸芯（揺動軸芯）から突起部１６ｂの先端までの半径をほぼ基点として、その周方向中央側ほど小径となる４つの弧状の抵抗付与面１８ａから形成される矩形形状で、その矩形形状の嵌合凹部内周面１７ｂの各角部には、嵌合凹部１７の軸芯から突起部１６ｂの先端までの半径よりも若干大となる鈍角なＶ字状の嵌合保持面１８ｂが連続形成されていて、嵌合凸部１６の外周面に形成されている一対の突起部１６ｂが対角線上に位置する係合保持面１８ｂに係合することにより、物干し枠体２に対して垂下させたハンガー１の垂下姿勢（図２及び図６参照。）と、ハンガー１を垂下姿勢から物干し枠体２の長辺方向外方に８０度揺動させた揺動姿勢（図３及び図８参照。）とに択一的に保持するように構成されているとともに、相対向する抵抗付与面１８ａにおいては、一対の突起部１６ｂを半径方向内方に弾性変形させながら揺動操作位置又は垂下操作位置に摺動案内するように構成されている。
【００２８】
そして、姿勢保持手段Ｓによりその姿勢を垂下姿勢又は揺動姿勢に保持させたハンガー１を揺動操作すると、図７に示すように、嵌合凹部内周面１７ｂの抵抗付与面１８ａにより嵌合凸部１６の突起部１６ｂに対して径方向内方に圧力がかかり、中空部１６ｃの存在により突起部１６ｂが弾性変形し抵抗付与面１８ａに対して摺動する形態で、嵌合凸部１６が嵌合凹部内周面１７ｂに対して相対回転することができる。
【００２９】
つまり、ハンガー１に掛け物を掛止するときは、隣接ハンガー１を揺動させてその揺動姿勢で保持することができるので、使用する掛止対象のハンガー１の周りの空間を充分に確保して作業を行なうことができる。
【００３０】
そして、図４に示すように、物干し枠体２を折り畳んでハンガー体格納姿勢にするとき、垂下姿勢にあるハンガー１を揺動させて姿勢保持手段Ｓで物干し枠体２の長辺方向外方に８０度揺動させた揺動姿勢に保持した状態で物干し枠体２を折り畳むことで、折り畳む際に相対向するハンガー１どうしが絡まったり、ぶつかったりせず、物干し器を容易にかつコンパクトにすることができる。
【００３１】
吊下げフック３は、縦軸芯周りにおいて相対回転自在で、物干し竿等に掛止するための主フック部３Ａと、掛止方向が主フック部３Ａとは逆向きとなる開口の広い副フック部３Ｂと、主フック部３Ａの開口を閉止可能な脱落防止用の閉止体３Ｃとから構成されていて、閉止体３Ｃには、主フック部３Ａを把持した手指で開閉操作可能な操作レバー５が一体形成されているとともに、副フック部３Ｂが、主フック部３  Ａに枢着するための枢支ピンＰの軸芯周りでの揺動操作により、横外方に突出する掛止姿勢とそれの先端が主フック部３Ａの背面に接当又は近接する格納姿勢とに揺動切替自在に構成されている。
【００３２】
そして、副フック部３Ｂを掛止姿勢に突出させて、物干し器を鴨居等に掛止させることができる。
【００３３】
また、物干し枠体２の長辺方向で最も外方に位置する２つの横枠部２ｂの上側面には、吊下げフック３の吊下げ位置よりも低い位置で物干し竿に掛止するための補助吊下げフック６が、上方に起立した吊下げ姿勢と物干し枠体２の上側面に沿って物干し枠体２の長辺方向内方側に倒伏させた格納姿勢とに軸芯周りで揺動切替操作自在に枢着されている。
【００３４】
〔第２実施形態〕
図９〜図１１は、本発明の第２実施形態における物干し器を示し、ハンガー１を物干し枠体２に対する垂下姿勢と揺動姿勢とに保持する姿勢保持手段Ｓにおいて、１０本のハンガー１のうち、物干し枠体２の長辺方向において最も外方に位置する２つのハンガー１ａ、及び、最も内方に位置する２つのハンガー１ｅ以外のハンガー１ｂ〜１ｄの嵌合凸部１６と嵌合する嵌合凹部１７の内周面１７ｂが、嵌合凹部１７の軸芯（揺動軸芯）から突起部１６ｂの先端までの半径をほぼ基点として、その周方向中央側ほど小径となる６つの弧状の抵抗付与面１８ａからなる六角形状に形成され、その六角形状の嵌合凹部内周面１７ｂの各角部には、嵌合凹部１７の軸芯から突起部１６ｂの先端までの半径よりも若干大となる鈍角なＶ字状の嵌合保持面１８ｂが連続形成されていて、嵌合凸部１６の外周面に形成されている一対の突起部１６ｂが対角線上に位置する係合保持面１８ｂに係合することにより、ハンガー１を物干し枠体２に対して垂下させた垂下姿勢と、ハンガー１を垂下姿勢から物干し枠体２の長辺方向外方に８０度揺動させた揺動姿勢と、垂下姿勢と揺動姿勢との間の中間姿勢とに選択的に保持可能に構成されている。
【００３５】
姿勢保持手段Ｓが保持するハンガー１ｂ〜１ｄの中間姿勢は、各ハンガー１ｂ〜１ｄにおいて異なる揺動角度に設定されていて、ハンガー１ｂ〜１ｄのうち最も外方に位置するハンガー１ｂは垂下姿勢から５０度、中央ハンガー１ｃは垂下姿勢から２５度、ハンガー１ｂ〜１ｄのうち最も内方に位置するハンガー１ｄは垂下姿勢から５度揺動させた姿勢で、各ハンガー１ｂ〜１ｄに対する六角形状に形成された嵌合凹部内周面１７ｂの角部にあたる係合保持面１８ｂが嵌合凸部１６の外周面に形成されている突起部１６ｂと係合して、ハンガー１ｂ〜１ｄをその中間姿勢で保持する。
【００３６】
なお、その他の構成は、第１実施形態で説明した構成と同一であるから、同一の構成箇所には、第１実施形態と同一の番号を付記してそれの説明は省略する。
【００３７】
〔その他の実施形態〕
上述の第１及び第２実施形態では、物干し器が合成樹脂製であったが、物干し器は合成樹脂製に限るものではなく、木製や金属製など種々のもので製造されてもよい。
【００３８】
上述の第１及び第２実施形態では、姿勢保持手段Ｓを、ハンガー１の嵌合凸部１６の外周面に形成された突起部１６ｂと、嵌合凸部１６の中空部１６ｃと、物干し枠体２の嵌合凹部１７の内周面１７ｂとから構成したが、姿勢保持手段Ｓの構成は種々のものであってよい。
【００３９】
そして、嵌合凹部１７の内周面１７ｂの形状は、矩形形状や六角形状に限るものではない。
【００４０】
または、姿勢保持手段Ｓが保持するハンガー１の揺動姿勢の角度は８０度に限るものではない。
【００４１】
同様に、第２実施形態における中間姿勢の角度についても、上述の限りではなく種々の角度であってよい。
【００４２】
上述の第１及び第２実施形態では、１０本のハンガー１が物干し枠体２に支持されているが、ハンガー１の数は任意のものであってよい。
【００４３】
また、各ハンガー１の形状は、上述の第１及び第２実施形態における形状（すなわち、肩紐フック１２、スカートフック１３、挟持杆１４、ネクタイハンガー部１５を備えた形状）に限るものではない。
【００４４】
同様に、吊下げフック３の形状についても、上述の第１及び第２実施形態における形状に限るものではない。
【００４５】
上述の第１及び第２実施形態では、物干し枠体２の上面側に補助吊下げフック６が設けられてあるが、補助吊下げフック６を設けていない構成であってもよい。
【図面の簡単な説明】
【図１】ハンガー体が垂下姿勢にあるときの物干し器本体を示す正面図
【図２】ハンガー体が垂下姿勢にあるときの物干し器本体を示す側面図
【図３】ハンガー体が揺動姿勢にあるときの物干し器本体を示す正面図
【図４】ハンガー体格納姿勢にある物干し器本体を示す正面図
【図５】姿勢保持手段を示すＩ−Ｉ（ＩＸ−ＩＸ）断面図
【図６】ハンガー体の垂下姿勢を保持した状態にある姿勢保持手段を示すＶ−Ｖ断面図
【図７】ハンガー体が揺動状態にあるときの姿勢保持手段を示すＶ−Ｖ断面図
【図８】ハンガー体の揺動姿勢を保持した状態にある姿勢保持手段を示すＶ−Ｖ断面図
【図９】第２実施形態の物干し器本体を示す正面図
【図１０】ハンガー体の垂下姿勢を保持した状態にある姿勢保持手段を示すＶ−Ｖ断面図
【図１１】ハンガー体の中間姿勢を保持した状態にある姿勢保持手段を示すＶ−Ｖ断面図
【図１２】ハンガー体の揺動姿勢を保持した状態にある姿勢保持手段を示すＶ−Ｖ断面図
【符号の説明】
１      ハンガー体
２      物干し枠体
１６      嵌合凸部
１６ｂ    突起部
１６ｃ    中空部
１７      嵌合凹部
１７ｂ    嵌合凹部の内周面
１８ａ    抵抗付与面
１８ｂ    係合保持面
【図１】
2004267686.tif 000003
【図２】
2004267686.tif 000004
【図３】
2004267686.tif 000005
【図４】
2004267686.tif 000006
【図５】
2004267686.tif 000007
【図６】
2004267686.tif 000008
【図７】
2004267686.tif 000009
【図８】
2004267686.tif 000010
【図９】
2004267686.tif 000011
【図１０】
2004267686.tif 000012
【図１１】
2004267686.tif 000013
【図１２】
2004267686.tif 000014